(57)【要約】      （修正有）【課題】デュアルＳＩＭデュアルアクティブ（ＤＳＤＡ）モバイル端末などのデュアルＳＩＭモバイル端末における測位サービスのためのＳＩＭカード選択の方法及び装置を提供する。【解決手段】デュアルＳＩＭデュアルアクティブ（ＤＳＤＡ）モバイル端末などのデュアルＳＩＭモバイル端末は、ネットワークに接続し、ネットワークを通じてユーザプレーン測位セッションまたは制御プレーン測位セッションを実行する。モバイル端末がいずれかのＳＩＭカードを使用して緊急呼のネットワークに接続し、ネットワークを通じて緊急測位セッションが実行されるとき、緊急測位セッションは、緊急呼および緊急コールバック期間の間のみ許容され、緊急呼が発信されるサブスクリプションに対してのみ許可される。【選択図】図２
2016140079.tif 000002
【特許請求の範囲】
【請求項１】
デュアル加入者識別モジュール（ＳＩＭ）モバイル端末においてユーザプレーン測位サービスまたは制御プレーン測位サービスを実現する方法であって、
前記デュアルＳＩＭモバイル端末をネットワークに接続することと、ここにおいて、前記ネットワークは、前記デュアルＳＩＭモバイル端末内の第１のＳＩＭカードによってアクセスされる第１のサブスクリプションに関連する第１のネットワークと前記デュアルＳＩＭモバイル端末内の第２のＳＩＭカードによってアクセスされる第２のサブスクリプションに関連する第２のネットワークのうちの一方であり、
前記ネットワークを通じてユーザプレーン測位セッションまたは制御プレーン測位セッションを実行することとを備え、
前記デュアルＳＩＭモバイル端末によって前記ユーザプレーン測位セッションまたは前記制御プレーン測位セッションが開始されるとき、前記第１のＳＩＭカードに関連する前記第１のサブスクリプションまたは前記第２のＳＩＭカードに関連する前記第２のサブスクリプションのいずれかが前記ユーザプレーン測位セッションまたは前記制御プレーン測位セッションに使用され、
前記ネットワークによって前記ユーザプレーン測位セッションまたは前記制御プレーン測位セッションが開始されるとき、前記第１のＳＩＭカードに関連する前記第１のサブスクリプションまたは前記第２のＳＩＭカードに関連する前記第２のサブスクリプションのいずれかが前記ユーザプレーン測位セッションまたは前記制御プレーン測位セッションに使用される方法。
【請求項２】
前記ネットワークを通じて前記ユーザプレーン測位セッションまたは前記制御プレーン測位セッションを実行することは、
前記第１のサブスクリプションを使用して前記デュアルＳＩＭモバイル端末との前記ユーザプレーン測位セッションまたは前記制御プレーン測位セッションを開始することを試みることと、
前記デュアルＳＩＭモバイル端末との前記ユーザプレーン測位セッションまたは前記制御プレーン測位セッションを開始するために前記第２のサブスクリプションを使用することに切り替えることとを備える、請求項１に記載の方法。
【請求項３】
前記第１のサブスクリプションは、前記ユーザプレーン測位セッションまたは前記制御プレーン測位セッションに関するデフォルトのサブスクリプションと選択されたサブスクリプションのうちの一方である、請求項２に記載の方法。
【請求項４】
前記第２のサブスクリプションは、前記第１のサブスクリプションに関連する前記第１のネットワークが利用不能であるか、弱いか、ビジーであるか、または応答していないかのうちのいずれかであるときに前記ユーザプレーン測位セッションまたは前記制御プレーン測位セッションを開始するのに使用される、請求項２に記載の方法。
【請求項５】
前記第２のサブスクリプションは、前記第１のサブスクリプションがデータ転送限界または同時データセッションの総数に関する限界に達したときに前記ユーザプレーン測位セッションまたは前記制御プレーン測位セッションを開始するのに使用される、請求項２に記載の方法。
【請求項６】
前記第１のサブスクリプションおよび前記第２のサブスクリプションは、異なるサービス相互作用の規則を有し、前記ネットワークを通じて前記ユーザプレーン測位セッションまたは前記制御プレーン測位セッションを実行することは、
前記ユーザプレーン測位セッションまたは前記制御プレーン測位セッションが前記第１のサブスクリプションを通じて行われるときに前記第１のサブスクリプションの前記サービス相互作用の規則に従い、前記ユーザプレーン測位セッションまたは前記制御プレーン測位セッションが前記第２のサブスクリプションを通じて行われるときに前記第２のサブスクリプションの前記サービス相互作用の規則に従うことを備える、請求項１に記載の方法。
【請求項７】
前記ネットワークを通じて前記ユーザプレーン測位セッションまたは前記制御プレーン測位セッションを実行することは、前記ネットワークを使用して補助衛星測位セッションを実行することを備える、請求項１に記載の方法。
【請求項８】
モバイル端末であって、
第１のネットワークに関連する第１のサブスクリプションにアクセスする第１の加入者識別モジュール（ＳＩＭ）カードと、
第２のネットワークに関連する第２のサブスクリプションにアクセスする第２のＳＩＭカードと、
前記第１のネットワークおよび前記第２のネットワークと通信するトランシーバと、
前記トランシーバに接続され、前記ネットワークを通じてユーザプレーン測位セッションまたは制御プレーン測位セッションを実行するように構成されたプロセッサとを備え、ここにおいて、前記ユーザプレーン測位セッションまたは前記制御プレーン測位セッションが前記モバイル端末によって開始されるとき、前記第１のＳＩＭカードに関連する前記第１のサブスクリプションまたは前記第２のＳＩＭカードに関連する前記第２のサブスクリプションのいずれかが前記ユーザプレーン測位セッションまたは前記制御プレーン測位セッションに使用され、前記ユーザプレーン測位セッションまたは前記制御プレーン測位セッションが前記ネットワークによって開始されるとき、前記第１のＳＩＭカードに関連する前記第１のサブスクリプションまたは前記第２のＳＩＭカードに関連する前記第２のサブスクリプションのいずれかが前記ユーザプレーン測位セッションまたは前記制御プレーン測位セッションに使用されるモバイル端末。
【請求項９】
前記プロセッサは、前記第１のサブスクリプションによって前記ユーザプレーン測位セッションまたは前記制御プレーン測位セッションを開始することを試みることと、前記ユーザプレーン測位セッションまたは前記制御プレーン測位セッションを開始するために前記第２のサブスクリプションを使用することに切り替えることとを行うように構成されることによって、前記ネットワークを通じて前記ユーザプレーン測位セッションまたは前記制御プレーン測位セッションを実行するように構成される、請求項８に記載のモバイル端末。
【請求項１０】
前記第１のサブスクリプションは、前記ユーザプレーン測位セッションまたは前記制御プレーン測位セッションに関するデフォルトのサブスクリプションと選択されたサブスクリプションのうちの一方である、請求項９に記載のモバイル端末。
【請求項１１】
前記第２のサブスクリプションは、前記第１のサブスクリプションに関連する前記第１のネットワークが利用不能であるか、弱いか、ビジーであるか、または応答していないかのうちのいずれかであるときに前記ユーザプレーン測位セッションまたは前記制御プレーン測位セッションを開始するのに使用される、請求項９に記載のモバイル端末。
【請求項１２】
前記第２のサブスクリプションは、前記第１のサブスクリプションがデータ転送限界または同時データセッションの総数に関する限界に達したときに前記ユーザプレーン測位セッションまたは前記制御プレーン測位セッションを開始するのに使用される、請求項９に記載のモバイル端末。
【請求項１３】
前記第１のサブスクリプションおよび前記第２のサブスクリプションが異なるサービス相互作用の規則を有し、前記プロセッサは、前記ユーザプレーン測位セッションまたは前記制御プレーン測位セッションが前記第１のサブスクリプションを通じて行われるときに前記第１のサブスクリプションの前記サービス相互作用の規則に従うことと、前記ユーザプレーン測位セッションまたは前記制御プレーン測位セッションが前記第２のサブスクリプションを通じて行われるときに前記第２のサブスクリプションの前記サービス相互作用の規則に従うようにさらに構成される、請求項８に記載のモバイル端末。
【請求項１４】
前記モバイル端末は、衛星測位システム信号を受信するための受信機をさらに備え、前記プロセッサは、前記ネットワークを使用して補助衛星測位セッションを実行するように構成されることによって前記ネットワークを通じて前記ユーザプレーン測位セッションまたは前記制御プレーン測位セッションを実行するように構成される、請求項８に記載のモバイル端末。
【請求項１５】
デュアル加入者識別モジュール（ＳＩＭ）モバイル端末であって、
ネットワークに接続するための手段と、ここにおいて、前記ネットワークは、第１のＳＩＭカードによってアクセスされる第１のサブスクリプションに関連する第１のネットワークと第２のＳＩＭカードによってアクセスされる第２のサブスクリプションに関連する第２のネットワークのうちの一方であり、
前記ネットワークを通じてユーザプレーン測位セッションまたは制御プレーン測位セッションを実行するための手段とを備え、
前記デュアルＳＩＭモバイル端末によって前記ユーザプレーン測位セッションまたは前記制御プレーン測位セッションが開始されるとき、前記第１のＳＩＭカードに関連する前記第１のサブスクリプションまたは前記第２のＳＩＭカードに関連する前記第２のサブスクリプションのいずれかが前記ユーザプレーン測位セッションまたは前記制御プレーン測位セッションに使用され、
前記ネットワークによって前記ユーザプレーン測位セッションまたは前記制御プレーン測位セッションが開始されるとき、前記第１のＳＩＭカードに関連する前記第１のサブスクリプションまたは前記第２のＳＩＭカードに関連する前記第２のサブスクリプションのいずれかが前記ユーザプレーン測位セッションまたは前記制御プレーン測位セッションに使用されるデュアルＳＩＭモバイル端末。
【請求項１６】
前記第１のサブスクリプションを使用して前記デュアルＳＩＭモバイル端末との前記ユーザプレーン測位セッションまたは前記制御プレーン測位セッションを開始することを試みるための手段と、
前記デュアルＳＩＭモバイル端末との前記ユーザプレーン測位セッションまたは前記制御プレーン測位セッションを開始するために前記第２のサブスクリプションを使用することに切り替えるための手段とをさらに備える、請求項１５に記載のデュアルＳＩＭモバイル端末。
【請求項１７】
前記第１のサブスクリプションおよび前記第２のサブスクリプションは、異なるサービス相互作用の規則を有し、
前記ユーザプレーン測位セッションまたは前記制御プレーン測位セッションが前記第１のサブスクリプションを通じて行われるときに前記第１のサブスクリプションの前記サービス相互作用の規則に従い、前記ユーザプレーン測位セッションまたは前記制御プレーン測位セッションが前記第２のサブスクリプションを通じて行われるときに前記第２のサブスクリプションの前記サービス相互作用の規則に従うための手段をさらに備える、請求項１５に記載のデュアルＳＩＭモバイル端末。
【請求項１８】
記憶されたプログラムコードを含む非一時的コンピュータ可読媒体であって、
デュアルＳＩＭモバイル端末をネットワークに接続するためのプログラムコードと、ここにおいて、前記ネットワークは、前記デュアルＳＩＭモバイル端末内の第１のＳＩＭカードによってアクセスされる第１のサブスクリプションに関連する第１のネットワークと前記デュアルＳＩＭモバイル端末内の第２のＳＩＭカードによってアクセスされる第２のサブスクリプションに関連する第２のネットワークのうちの一方であり、
前記ネットワークを通じてユーザプレーン測位セッションまたは制御プレーン測位セッションを実行するためのプログラムコードとを備え、
前記デュアルＳＩＭモバイル端末によって前記ユーザプレーン測位セッションまたは前記制御プレーン測位セッションが開始されるとき、前記第１のＳＩＭカードに関連する前記第１のサブスクリプションまたは前記第２のＳＩＭカードに関連する前記第２のサブスクリプションのいずれかが前記ユーザプレーン測位セッションまたは前記制御プレーン測位セッションに使用され、
前記ネットワークによって前記ユーザプレーン測位セッションまたは前記制御プレーン測位セッションが開始されるとき、前記第１のＳＩＭカードに関連する前記第１のサブスクリプションまたは前記第２のＳＩＭカードに関連する前記第２のサブスクリプションのいずれかが前記ユーザプレーン測位セッションまたは前記制御プレーン測位セッションに使用される非一時的コンピュータ可読媒体。
【請求項１９】
前記ネットワークを通じて前記ユーザプレーン測位セッションまたは前記制御プレーン測位セッションを実行するための前記プログラムコードは、
前記第１のサブスクリプションを使用して前記デュアルＳＩＭモバイル端末との前記ユーザプレーン測位セッションまたは前記制御プレーン測位セッションを開始することを試みるためのプログラムコードと、
前記デュアルＳＩＭモバイル端末との前記ユーザプレーン測位セッションまたは前記制御プレーン測位セッションを開始するために前記第２のサブスクリプションを使用することに切り替えるためのプログラムコードとを備える、請求項１８に記載の非一時的コンピュータ可読媒体。
【請求項２０】
前記第１のサブスクリプションおよび前記第２のサブスクリプションは、異なるサービス相互作用の規則を有し、プログラムコードは、
前記ユーザプレーン測位セッションまたは前記制御プレーン測位セッションが前記第１のサブスクリプションを通じて行われるときに前記第１のサブスクリプションの前記サービス相互作用の規則に従い、前記ユーザプレーン測位セッションまたは前記制御プレーン測位セッションが前記第２のサブスクリプションを通じて行われるときに前記第２のサブスクリプションの前記サービス相互作用の規則に従うためのプログラムコードをさらに備える、請求項１８に記載の非一時的コンピュータ可読媒体。
【請求項２１】
デュアル加入者識別モジュール（ＳＩＭ）モバイル端末において緊急測位セッションをサポートする方法であって、
前記デュアルＳＩＭモバイル端末を緊急呼のためにネットワークに接続することと、ここにおいて、前記ネットワークは、前記デュアルＳＩＭモバイル端末内の第１のＳＩＭカードによってアクセスされる第１のサブスクリプションに関連する第１のネットワークと前記デュアルＳＩＭモバイル端末内の第２のＳＩＭカードによってアクセスされる第２のサブスクリプションに関連する第２のネットワークのうちの一方であり、
前記ネットワークを通じて前記緊急測位セッションを実行することとを備え、
前記緊急測位セッションは、前記緊急呼および前記緊急呼後の緊急コールバック期間の間にのみ許可され、
前記緊急測位セッションは、前記緊急呼が発信されるサブスクリプションに対してのみ許可され、
前記第１のサブスクリプションまたは前記第２のサブスクリプションのいずれに対する非緊急測位セッションも、緊急測位セッションの間または前記緊急呼の間は許可されない方法。
【請求項２２】
前記第１のサブスクリプションまたは前記第２のサブスクリプションのいずれに対すも非緊急測位セッションも、前記緊急呼後の緊急コールバック期間の間は許可されない、請求項２１に記載の方法。
【請求項２３】
モバイル端末であって、
第１のネットワークに関連する第１のサブスクリプションにアクセスする第１の加入者識別モジュール（ＳＩＭ）カードと、
第２のネットワークに関連する第２のサブスクリプションにアクセスする第２のＳＩＭカードと、
前記第１のネットワークおよび前記第２のネットワークと通信するトランシーバと、
前記トランシーバに接続されたプロセッサとを備え、前記プロセッサは、前記トランシーバを使用して緊急呼のためにネットワークに接続することと、ここにおいて、前記ネットワークは、前記第１のＳＩＭカードによってアクセスされる前記第１のサブスクリプションに関連する前記第１のネットワークと前記第２のＳＩＭカードによってアクセスされる前記第２のサブスクリプションに関連する前記第２のネットワークのうちの一方であり、前記ネットワークを通じて緊急測位セッションを実行することとを行うように構成され、ここにおいて、前記緊急測位セッションは、前記緊急呼および前記緊急呼後の緊急コールバック期間の間にのみ許可され、ここにおいて、前記緊急測位セッションは、前記緊急呼が発信されるサブスクリプションに対してのみ許可され、ここにおいて、前記第１のサブスクリプションまたは前記第２のサブスクリプションのいずれに対する非緊急測位セッションも、緊急測位セッションの間または緊急呼の間は許可されないモバイル端末。
【請求項２４】
前記第１のサブスクリプションまたは前記第２のサブスクリプションのいずれに対する非緊急測位セッションも、前記緊急呼後の前記緊急コールバック期間の間は許可されない、請求項２３に記載のモバイル端末。
【請求項２５】
デュアル加入者識別モジュール（ＳＩＭ）モバイル端末であって、
前記デュアルＳＩＭモバイル端末を緊急呼のためにネットワークに接続するための手段と、ここにおいて、前記ネットワークは、前記デュアルＳＩＭモバイル端末内の第１のＳＩＭカードによってアクセスされる第１のサブスクリプションに関連する第１のネットワークと前記デュアルＳＩＭモバイル端末内の第２のＳＩＭカードによってアクセスされる第２のサブスクリプションに関連する第２のネットワークのうちの一方であり、
前記ネットワークを通じて緊急測位セッションを実行するための手段とを備え、
前記緊急測位セッションは、前記緊急呼および前記緊急呼後の緊急コールバック期間の間にのみ許可され、
前記緊急測位セッションは、前記緊急呼が発信されるサブスクリプションに対してのみ許可され、
前記第１のサブスクリプションまたは前記第２のサブスクリプションのいずれに対する非緊急測位セッションも、緊急測位セッションの間または前記緊急呼の間は許可されないデュアルＳＩＭモバイル端末。
【請求項２６】
前記第１のサブスクリプションまたは前記第２のサブスクリプションのいずれに対する非緊急測位セッションも、前記緊急呼後の前記緊急コールバック期間の間は許可されない、請求項２５に記載のデュアルＳＩＭモバイル端末。
【請求項２７】
記憶されたプログラムコードを含む非一時的コンピュータ可読媒体であって、
デュアルＳＩＭモバイル端末を緊急呼のためにネットワークに接続するためのプログラムコードと、ここにおいて、前記ネットワークは、前記デュアルＳＩＭモバイル端末内の第１のＳＩＭカードによってアクセスされる第１のサブスクリプションに関連する第１のネットワークと前記デュアルＳＩＭモバイル端末内の第２のＳＩＭカードによってアクセスされる第２のサブスクリプションに関連する第２のネットワークのうちの一方であり、
前記ネットワークを通じて緊急測位セッションを実行するためのプログラムコードとを備え、
前記緊急測位セッションは、前記緊急呼および前記緊急呼後の緊急コールバック期間の間にのみ許可され、
前記緊急測位セッションは、前記緊急呼が発信されるサブスクリプションに対してのみ許可され、
前記第１のサブスクリプションまたは前記第２のサブスクリプションのいずれに対する非緊急測位セッションも、緊急測位セッションの間または前記緊急呼の間は許可されない非一時的コンピュータ可読媒体。
【請求項２８】
前記第１のサブスクリプションまたは前記第２のサブスクリプションのいずれに対する非緊急測位セッションも、前記緊急呼後の前記緊急コールバック期間の間は許可されない、請求項２７に記載の非一時的コンピュータ可読媒体。
【発明の詳細な説明】
【技術分野】
【０００１】
関連出願の相互参照
[0001]本出願は、本出願の譲受人に譲渡され、参照により本明細書に組み込まれる、２０１３年３月１１日に出願された「Ｍｅｔｈｏｄ  Ａｎｄ  Ａｐｐａｒａｔｕｓ  Ｆｏｒ
Ｐｒｏｖｉｄｉｎｇ  Ｕｓｅｒ  Ｐｌａｎｅ  Ｏｒ  Ｃｏｎｔｒｏｌ  Ｐｌａｎｅ  Ｐｏｓｉｔｉｏｎ  Ｓｅｒｖｉｃｅｓ」と題する米国出願第１３／７９３，８０１号の利益および優先権を主張する。
【背景技術】
【０００２】
[0002]本明細書で説明する主題の実施形態は概して、デュアル加入者識別モジュール（ＳＩＭ）カードを使用するモバイル端末に関し、より詳細には、いずれかのＳＩＭカード上でのデュアルＳＩＭモバイル端末との側位セッションを発信または受信し、ならびに緊急測位セッションを実行することに関する。
【０００３】
[0003]デュアルＳＩＭモバイル端末は、複数の、たとえば、２つ以上の加入者識別モジュール（ＳＩＭ）カードを保持することができる。いくつかのデュアルＳＩＭモバイル端末では、両方のＳＩＭカードが同時にアクティブになってもよく、ユーザは異なるネットワークに関する２つの異なるサブスクリプションにアクセスすることができる。一例として、デュアルＳＩＭデュアルアクティブ（ＤＳＤＡ）モバイル端末は、２枚のＳＩＭカードを含み、２つの異なるネットワークに同時に接続されてもよい。
【０００４】
[0004]モバイル端末のロケーションを知ることが望ましいことが多く、時には必要である。「ロケーション」と「位置」という用語は同義であり、本明細書では互換的に使用される。たとえば、モバイル端末上のアプリケーションは、そのロケーションを知ることを望む場合があり、したがって、モバイル端末は、モバイル発信測位セッションと呼ばれることもあるユーザプレーン測位セッションまたは制御プレーン測位セッションを開始してもよい。さらに、ネットワーク側の異なるエンティティ、たとえば、ロケーションサービス（ＬＣＳ）クライアントは、モバイル端末のロケーションを知ることを望む場合があり、したがって、モバイル着信測位セッションと呼ばれることもあるユーザプレーン測位セッションまたは制御プレーン測位セッションが、モバイル端末に接続されたネットワークによって開始されてもよい。
【発明の概要】
【０００５】
[0005]デュアルＳＩＭデュアルアクティブ（ＤＳＤＡ）モバイル端末などのデュアルＳＩＭモバイル端末は、ネットワークに接続し、ネットワークを通じてユーザプレーン測位セッションまたは制御プレーン測位セッションを実行する。測位セッションがモバイル端末によって開始されるときには、いずれのＳＩＭカードがそれに関連するネットワークに接続するのに使用されてもよい。たとえば、測位セッションを開始するのを試みるのに使用される初期ＳＩＭカードは、デフォルトのＳＩＭカードであってもよく、またはたとえばユーザもしくはアプリケーションによって選択されてもよい。モバイル端末は、たとえば、初期ＳＩＭカードに関連するネットワーク利用不能、弱い、ビジー、または応答していないか、あるいはデータ転送限界もしくは同時データセッションの総数に対する限界に達した場合に、測位セッションのために他のＳＩＭカードに切り替えてもよい。測位セッションがネットワーク内の別のエンティティによって開始されるときには、いずれのＳＩＭカードが測位セッションに使用されてもよい。ＳＩＭカードに関連するサブスクリプションは異なるサービス相互作用の規則を有することがあるので、モバイル端末は、測位セッションに使用されるＳＩＭカードに関連するサブスクリプションのサービス相互作用の規則に従う。モバイル端末がいずれかのＳＩＭカードを使用して緊急呼のネットワークに接続し、ネットワークを通じて緊急測位セッションが実行されるとき、緊急測位セッションは、緊急呼および緊急呼後の緊急コールバック期間の間のみ許容され、緊急呼が発信されるサブスクリプションに対してのみ許可され、いずれのＳＩＭカードによる非緊急測位セッションも、緊急測位セッションの間または緊急呼および緊急呼後の緊急コールバック期間の間は許可されない。
【０００６】
[0006]一実装形態では、デュアル加入者識別モジュール（ＳＩＭ）モバイル端末においてユーザプレーン測位セッションまたは制御プレーン測位サービスを提供する方法は、デュアルＳＩＭモバイル端末をネットワークに接続することと、ここにおいて、ネットワークはデュアルＳＩＭモバイル端末内の第１のＳＩＭカードによってアクセスされる第１のサブスクリプションに関連する第１のネットワークとデュアルＳＩＭモバイル端末内の第２のＳＩＭカードによってアクセスされる第２のサブスクリプションに関連する第２のネットワークのうちの一方であり、ネットワークを通じてユーザプレーン測位セッションまたは制御プレーン測位セッションを実行することとを含み、ユーザプレーン測位セッションまたは制御プレーン測位セッションがデュアルＳＩＭモバイル端末によって開始されるとき、第１のＳＩＭカードに関連する第１のサブスクリプションまたは第２のＳＩＭカードに関連する第２のサブスクリプションのいずれかがユーザプレーン測位セッションまたは制御プレーン測位セッションに使用され、ユーザプレーン測位セッションまたは制御プレーン測位セッションがネットワークによって開始されるとき、第１のＳＩＭカードに関連する第１のサブスクリプションまたは第２のＳＩＭカードに関連する第２のサブスクリプションのいずれかがユーザプレーン測位セッションまたは制御プレーン測位セッションに使用される。
【０００７】
[0007]一実装形態では、モバイル端末は、第１のネットワークに関連する第１のサブスクリプションにアクセスする第１の加入者識別モジュール（ＳＩＭ）カードと、第２のネットワークに関連する第２のサブスクリプションにアクセスする第２のＳＩＭカードと、第１のネットワークおよび第２のネットワークと通信するトランシーバと、トランシーバに接続されたプロセッサとを含み、プロセッサは、トランシーバを使用してネットワークに接続し、ネットワークを通じてユーザプレーン測位セッションまたは制御プレーン測位セッションを実行するように構成され、ここにおいて、ユーザプレーン測位セッションまたは制御プレーン測位セッションがモバイル端末によって開始されるとき、第１のＳＩＭカードに関連する第１のサブスクリプションまたは第２のＳＩＭカードに関連する第２のサブスクリプションのいずれかがユーザプレーン測位セッションまたは制御プレーン測位セッションに使用され、ユーザプレーン測位セッションまたは制御プレーン測位セッションがネットワークによって開始されるとき、第１のＳＩＭカードに関連する第１のサブスクリプションまたは第２のＳＩＭカードに関連する第２のサブスクリプションのいずれかがユーザプレーン測位セッションまたは制御プレーン測位セッションに使用される。
【０００８】
[0008]一実装形態では、デュアル加入者識別モジュール（ＳＩＭ）モバイル端末は、ネットワークに接続するための手段と、ここにおいて、ネットワークは、第１のＳＩＭカードによってアクセスされる第１のサブスクリプションに関連する第１のネットワークと第２のＳＩＭカードによってアクセスされる第２のサブスクリプションに関連する第２のネットワークのうちの一方であり、ネットワークを通じてユーザプレーン測位セッションまたは制御プレーン測位セッションを実行するための手段とを含み、ユーザプレーン測位セッションまたは制御プレーン測位セッションがデュアルＳＩＭモバイル端末によって開始されるとき、第１のＳＩＭカードに関連する第１のサブスクリプションまたは第２のＳＩＭカードに関連する第２のサブスクリプションのいずれかがユーザプレーン測位セッションまたは制御プレーン測位セッションに使用され、ユーザプレーン測位セッションまたは制御プレーン測位セッションがネットワークによって開始されるとき、第１のＳＩＭカードに関連する第１のサブスクリプションまたは第２のＳＩＭカードに関連する第２のサブスクリプションのいずれかがユーザプレーン測位セッションまたは制御プレーン測位セッションに使用される。
【０００９】
[0009]一実装形態では、プログラムコードを記憶した非一時的コンピュータ可読媒体は、デュアルＳＩＭモバイル端末をネットワークに接続するためのプログラムコードと、ここにおいて、ネットワークは、デュアルＳＩＭモバイル端末内の第１のＳＩＭカードによってアクセスされる第１のサブスクリプションに関連する第１のネットワークとデュアルＳＩＭモバイル端末内の第２のＳＩＭカードによってアクセスされる第２のサブスクリプションに関連する第２のネットワークのうちの一方であり、ネットワークを通じてユーザプレーン測位セッションまたは制御プレーン測位セッションを実行するためのプログラムコードとを含み、ユーザプレーン測位セッションまたは制御プレーン測位セッションがデュアルＳＩＭモバイル端末によって開始されるとき、第１のＳＩＭカードに関連する第１のサブスクリプションまたは第２のＳＩＭカードに関連する第２のサブスクリプションのいずれかがユーザプレーン測位セッションまたは制御プレーン測位セッションに使用され、ユーザプレーン測位セッションまたは制御プレーン測位セッションがネットワークによって開始されるとき、第１のＳＩＭカードに関連する第１のサブスクリプションまたは第２のＳＩＭカードに関連する第２のサブスクリプションのいずれかがユーザプレーン測位セッションまたは制御プレーン測位セッションに使用される。
【００１０】
[0010]一実装形態では、デュアル加入者識別モジュール（ＳＩＭ）モバイル端末における緊急測位セッションをサポートする方法は、デュアルＳＩＭモバイル端末を緊急呼のためにネットワークに接続することと、ここにおいて、ネットワークは、デュアルＳＩＭモバイル端末内の第１のＳＩＭカードによってアクセスされる第１のサブスクリプションに関連する第１のネットワークとデュアルＳＩＭモバイル端末内の第２のＳＩＭカードによってアクセスされる第２のサブスクリプションに関連する第２のネットワークのうちの一方であり、ネットワークを通じて緊急測位セッションを実行することとを含み、緊急測位セッションは、緊急呼および緊急呼後の緊急コールバック期間の間にのみ許可され、緊急測位セッションは、緊急呼が発信されるサブスクリプションに対してのみ許可され、第１のサブスクリプションまたは第２のサブスクリプションのいずれに対する非緊急測位セッションも、緊急測位セッションの間または緊急呼の間は許可されない。
【００１１】
[0011]一実装形態では、モバイル端末は、第１のネットワークに関連する第１のサブスクリプションにアクセスする第１の加入者識別モジュール（ＳＩＭ）カードと、第２のネットワークに関連する第２のサブスクリプションにアクセスする第２のＳＩＭカードと、第１のネットワークおよび第２のネットワークと通信するトランシーバと、トランシーバに接続されたプロセッサとを含み、プロセッサは、トランシーバを使用して緊急呼のためにネットワークに接続することと、ここにおいて、ネットワークは、第１のＳＩＭカードによってアクセスされる第１のサブスクリプションに関連する第１のネットワークとデュアルＳＩＭモバイル端末内の第２のＳＩＭカードによってアクセスされる第２のサブスクリプションに関連する第２のネットワークのうちの一方であり、ネットワークを通じて緊急測位セッションを実行することとを行うように構成され、ここにおいて、緊急測位セッションは、緊急呼および緊急呼後の緊急コールバック期間の間にのみ許可され、緊急測位セッションは、緊急呼が発信されるサブスクリプションに対してのみ許可され、第１のサブスクリプションまたは第２のサブスクリプションのいずれに対する非緊急測位セッションも、緊急測位セッションの間または緊急呼の間は許可されない。
【００１２】
[0012]一実装形態では、デュアル加入者識別モジュール（ＳＩＭ）モバイル端末は、デュアルＳＩＭモバイル端末を緊急呼のためにネットワークに接続するための手段と、ここにおいて、ネットワークは、デュアルＳＩＭモバイル端末内の第１のＳＩＭカードによってアクセスされる第１のサブスクリプションに関連する第１のネットワークとデュアルＳＩＭモバイル端末内の第２のＳＩＭカードによってアクセスされる第２のサブスクリプションに関連する第２のネットワークのうちの一方であり、ネットワークを通じて緊急測位セッションを実行するための手段とを含み、緊急測位セッションは、緊急呼および緊急呼後の緊急コールバック期間の間にのみ許可され、緊急測位セッションは、緊急呼が発信されるサブスクリプションに対してのみ許可され、第１のサブスクリプションまたは第２のサブスクリプションのいずれに対する非緊急測位セッションも、緊急測位セッションの間または緊急呼の間は許可されない。
【００１３】
[0013]一実装形態では、プログラムコードを記憶した非一時的コンピュータ可読媒体は、デュアルＳＩＭモバイル端末を緊急呼のためにネットワークに接続するためのプログラムコードと、ここにおいて、ネットワークは、デュアルＳＩＭモバイル端末内の第１のＳＩＭカードによってアクセスされる第１のサブスクリプションに関連する第１のネットワークとデュアルＳＩＭモバイル端末内の第２のＳＩＭカードによってアクセスされる第２のサブスクリプションに関連する第２のネットワークのうちの一方であり、ネットワークを通じて緊急測位セッションを実行するためのプログラムコードとを含み、緊急測位セッションは、緊急呼および緊急呼後の緊急コールバック期間の間にのみ許可され、緊急測位セッションは、緊急呼が発信されるサブスクリプションに対してのみ許可され、第１のサブスクリプションまたは第２のサブスクリプションのいずれに対する非緊急測位セッションも、緊急測位セッションの間または緊急呼の間は許可されない。
【図面の簡単な説明】
【００１４】
【図１】[0014]いずれかのＳＩＭカード上で測位セッションを発信または受信するように構成されたデュアルＳＩＭモバイル端末とともに使用できるネットワークアーキテクチャを示す図。
【図２】[0015]デュアルＳＩＭモバイル端末とのユーザプレーン測位セッションまたは制御プレーン測位セッションを実現する方法のフローチャート。
【図３】[0016]いずれかのＳＩＭカード上で測位セッションを発信または受信するように構成されたデュアルＳＩＭモバイル端末のいくつかの例示的な特徴を示す概略図なブロック図。
【図４】[0017]デュアルＳＩＭモバイル端末における緊急測位セッションをサポートする方法のフローチャート。
【図５】[0018]緊急測位セッション向けに構成されたデュアルＳＩＭモバイル端末のいくつかの例示的な特徴を示す概略図なブロック図。
【発明を実施するための形態】
【００１５】
[0019]図１は、図示された第１のＳＩＭカード１２２と第２のＳＩＭカード１２４とを有し、いずれかのＳＩＭカード上で測位セッションを発信または受信するように構成されたデュアルＳＩＭモバイル端末１２０に使用し得るネットワークアーキテクチャ１００を示す。本明細書で使用するデュアルＳＩＭモバイル端末は、少なくとも２枚のＳＩＭカードを有し、それぞれＳＩＭカードによってアクセスされるサブスクリプションに関連する２つ以上のネットワークを通じてサーバとワイヤレスに通信することができるデバイスである。モバイル端末１２０は、限定はしないが、ＯＭＡによって定義されるセキュアユーザプレーンロケーション（ＳＵＰＬ）ロケーションソリューションおよび３ＧＰＰ（登録商標）および３ＧＰＰ２によって定義される制御プレーンロケーションソリューションを含んでもよい測位サービスおよびロケーションサービスをサポートする。ＳＵＰＬロケーションソリューションは、公開されている、ＯＭＡからのＯＭＡ−ＴＳ−ＵＬＰという文書において定義されている。制御プレーンロケーションソリューションは、公開されている３ＧＰＰ２Ｃ．Ｓ００２２、３ＧＰＰ  ＴＳ  ２３．２７１、３ＧＰＰ  ＴＳ  ２５．３０５、３ＧＰＰ  ＴＳ  ３６．３０５、３ＧＰＰ  ＴＳ  ４４．０３１、３ＧＰＰ  ＴＳ  ２５．３３１、および３ＧＰＰ  ＴＳ  ３６．３５５において定義されている。
【００１６】
[0020]モバイル端末１２０は、セルラーまたは他のワイヤレス通信デバイス、パーソナル通信システム（ＰＣＳ：personal communication system）デバイス、パーソナルナビゲーションデバイス（ＰＮＤ：personal navigation device）、個人情報マネージャ（ＰＩＭ：Personal Information Manager）、携帯情報端末（ＰＤＡ）、ラップトップ、あるいはワイヤレス通信および／またはナビゲーション信号を受信することが可能である他の好適なモバイルデバイスなど、デバイスを指す。さらに、モバイル端末１２０は、衛星信号受信、支援型データ受信、および／または位置に関係する処理が当該デバイスで発生するかパーソナルナビゲーションデバイス（ＰＮＤ）で発生するかにかかわらず、短距離ワイヤレス、赤外線、有線接続、または他の接続などによってＰＮＤと通信するデバイスを含み得る。本明細書で使用するサーバ１５０およびサーバ１５１は、ＳＵＰＬ  Ｌｏｃａｔｉｏｎ  Ｐｌａｔｆｏｒｍ（ＳＬＰ）、進化型サービングモバイルロケーションセンター（ｅＳＭＬＣ）、サービングモバイルロケーションセンター（ＳＭＬＣ）、ゲートウェイモバイルロケーションセンター（ＧＭＬＣ）、位置決定エンティティ（ＰＤＥ）、スタンドアロンＳＭＬＣ（ＳＡＳ）などであってよい。
【００１７】
[0021]ロケーションサービス（ＬＣＳ）は、どちらもネットワーク１３０に関連する、ロケーションサーバ１５０にアクセスするＬＣＳクライアント１６０、またはどちらもネットワーク１３１に関連する、ロケーションサーバ１５１にアクセスするＬＣＳクライアント１６１のために実行されてもよい。モバイル端末１２０のロケーションに関する要求が関連するネットワーク１３０または１３１を通じて発行され、要求されたＬＣＳクライアント１６０または１６１はそのそれぞれのロケーションサーバ１５０または１５１からモバイル端末１２０のロケーション推定値を受信する。ＬＣＳクライアント１６０およびＬＣＳクライアント１６１は、たとえば、それぞれのロケーションサーバ１５０およびロケーションサーバ１５１とモバイル端末１２０とによって使用されるロケーションプロトコルがＳＵＰＬであるときには、ＳＵＰＬエージェントと呼ばれることもある。モバイル端末１２０はまた、モバイル端末１２０内の何らかの測位対応機能に対してロケーション要求を発行し、後でモバイル端末１２０についてのロケーション推定値を受信し得る、ＬＣＳクライアント１６２（ＳＵＰＬが使用される場合はＳＵＰＬエージェント）を含み得る。モバイル端末１２０内のＬＣＳクライアント１６２（またはＳＵＰＬエージェント）は、モバイル端末１２０のユーザのためにロケーションサービスを実行し、たとえば、ナビゲーション指示を与えるか、またはモバイル端末１２０の近傍内の関心点を識別し得る。
【００１８】
[0022]図１に示されているように、モバイル端末１２０は、第１のネットワーク１３０を通じてサーバ１５０と通信し、第２のネットワーク１３１を通じてサーバ１５１と通信してもよい。モバイル端末１２０は、第１のネットワーク１３０に関連し、第１のＳＩＭカード１２２によってアクセスされるサブスクリプションに関連する第１の無線アクセスネットワーク（ＲＡＮ）１４０を使用して第１のネットワーク１３０を通じて通信してもよい。モバイル端末１２０は、第２のネットワーク１３１に関連し、第２のＳＩＭカード１２４によってアクセスされるサブスクリプションに関連する第２の無線アクセスネットワーク（ＲＡＮ）１４１を使用して第２のネットワーク１３１を通じて通信してもよい。
【００１９】
[0023]モバイル端末１２０は、位置決定に使用され得るＲＡＮ  １４０および１４１からの信号を受信して測定することができる。ワイヤレス通信ネットワークＲＡＮ  １４０および１４１は、ワイヤレス広域ネットワーク（ＷＷＡＮ）、ワイヤレスローカルエリアネットワーク（ＷＬＡＮ）、ワイヤレスパーソナルエリアネットワーク（ＷＰＡＮ）などであってよい。「ネットワーク」および「システム」という用語はしばしば互換的に使用される。ＷＷＡＮは、符号分割多元接続（ＣＤＭＡ）ネットワーク、時間分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワーク、Ｌｏｎｇ  Ｔｅｒｍ  Ｅｖｏｌｕｔｉｏｎ（ＬＴＥ（登録商標））、ＷｉＭａｘ（登録商標）などであってよい。ＣＤＭＡネットワークは、ｃｄｍａ２０００、広帯域ＣＤＭＡ（Ｗ−ＣＤＭＡ（登録商標）））などの１つまたは複数の無線アクセス技術（ＲＡＴ）を実装し得る。ｃｄｍａ２０００は、ＩＳ−９５標準、ＩＳ−２０００標準、およびＩＳ−８５６標準を含む。ＴＤＭＡネットワークは、モバイル通信用グローバルシステム（ＧＳＭ（登録商標））：Global System for Mobile Communications）、デジタルアドバンストモバイルフォンシステム（Ｄ−ＡＭＰＳ：Digital Advanced Mobile Phone System）、または何らかの他のＲＡＴを実装し得る。ＧＳＭ、Ｗ−ＣＤＭＡおよびＬＴＥは、３ＧＰＰによる文書に記載されている。ｃｄｍａ２０００は、「第３世代パートナーシッププロジェクト２」（「３ＧＰＰ２」）と称する団体からの文書に記載されている。３ＧＰＰおよび３ＧＰＰ２の文書は公開されている。ＷＬＡＮは、ＩＥＥＥ８０２．１１ｘネットワークであり得、ＷＰＡＮは、Ｂｌｕｅｔｏｏｔｈ（登録商標）ネットワーク、ＩＥＥＥ８０２．１５ｘネットワーク、または何らかの他のタイプのネットワークであり得る。本技法はまた、ＷＷＡＮ、ＷＬＡＮ、および／またはＷＰＡＮの任意の組合せとともに実装され得る。たとえば、ＲＡＮ１  １４０は、たとえば、進化型ＵＭＴＳ地上波無線アクセスネットワーク（Ｅ−ＵＴＲＡＮ）（ＬＴＥ）ネットワーク、Ｗ−ＣＤＭＡ  ＵＴＲＡＮネットワーク、ＧＳＭ／ＥＤＧＥ無線アクセスネットワーク（ＧＥＲＡＮ）、１ｘＲＴＴネットワーク、エボリューションデータ最適化（ＥｖＤＯ）ネットワーク、ＷｉＭａｘネットワーク、またはＷＬＡＮであってよく、ＲＡＮ２  １４１はＲＡＮ１  １４０と異なる上記のネットワークのうちの１つであってよい。
【００２０】
[0024]図１に示されているように、モバイル端末１２０はまた、衛星測位システム（ＳＰＳ：satellite positioning system）の一部である１つまたは複数の地球周回衛星ビークル（ＳＶ：satellite vehicle）１８０からの信号を受信し得る。ＳＶは、たとえば、全地球測位システム（ＧＰＳ：Global Positioning System）、Ｇａｌｉｌｅｏ、ＧＬＯＮＡＳＳまたはＣｏｍｐａｓｓなどの全地球ナビゲーション衛星システム（ＧＮＳＳ：Global Navigation Satellite System）のコンスタレーション中にあり得る。いくつかの態様によれば、本明細書で提示する技法は、ＳＰＳのための全地球システム（たとえば、ＧＮＳＳ）に限定されない。たとえば、本明細書で提供する技法は、たとえば、日本のＱｕａｓｉ−Ｚｅｎｉｔｈ  Ｓａｔｅｌｌｉｔｅ  Ｓｙｓｔｅｍ（ＱＺＳＳ）、インドのＩｎｄｉａｎ  Ｒｅｇｉｏｎａｌ  Ｎａｖｉｇａｔｉｏｎａｌ  Ｓａｔｅｌｌｉｔｅ  Ｓｙｓｔｅｍ（ＩＲＮＳＳ）、中国のＢｅｉｄｏｕもしくはＣｏｍｐａｓｓなどの様々な領域システム、ならびに／あるいは１つまたは複数のグローバルおよび／または領域ナビゲーション衛星システムに関連付けられるかまたは場合によってはそれらのシステムとともに使用することを可能にされた様々な補強システム（たとえば、Ｓａｔｅｌｌｉｔｅ  Ｂａｓｅｄ  Ａｕｇｍｅｎｔａｔｉｏｎ  Ｓｙｓｔｅｍ（ＳＢＡＳ））に適用すること、または場合によってはそれらのシステムにおいて使用することが可能である。限定ではなく例として、ＳＢＡＳは、たとえば、広域補強システム（ＷＡＡＳ）、欧州静止衛星航法補強サービス（ＥＧＮＯＳ）、多機能衛星補強システム（ＭＳＡＳ）、ＧＰＳ支援ＧＥＯ補強航法またはＧＰＳおよびＧＥＯ補強航法システム（ＧＡＧＡＮ）などの、完全性情報、差分補正などを行う補強システムを含み得る。したがって、本明細書で使用するＳＰＳは、１つまたは複数の全地球および／または地域航法衛星システムならびに／あるいは補強システムの任意の組合せを含み得、ＳＰＳ信号は、ＳＰＳ信号、ＳＰＳ様の信号、および／またはそのような１つもしくは複数のＳＰＳに関連する他の信号を含み得る。
【００２１】
[0025]モバイル端末１２０は、ＳＶ  １８０ならびに／あるいは第１および第２のネットワーク１３０および１３１と関連するＲＡＮ  １４０、１４１からの信号を測定し得、衛星に対する擬似距離測定値とＲＡＮ  １４０、１４１からのネットワーク測定値とを取得し得る。擬似距離測定値および／またはネットワーク測定値は、モバイル端末１２０の位置推定値を導出するために使用され得る。サーバ１５０またはサーバ１５１は、支援データなどのロケーション関連情報をモバイル端末１２０に与えるために使用され得、モバイル端末１２０は、（たとえば、補助衛星測位セッションにおいて）ＳＶ  １８０およびＲＡＮ  １４０、１４１からの信号を取得して測定すること、および／またはこれらの測定値から位置推定値を導出することを支援するために使用され得る。加えて、モバイル端末１２０は、推定された位置またはロケーションの測定値（たとえば、１つまたは複数のＧＮＳＳからの衛星測定値、あるいは１つまたは複数のネットワークからのネットワーク測定値など）などのロケーション関連情報をサーバ１５０またはサーバ１５１に与え得る。
【００２２】
[0026]動作時には、モバイル端末１２０は、第１のネットワーク１３０または第２のネットワーク１３１のいずれかを使用してモバイル発信（ＭＯ）測位セッションを許可してもよく、すなわちＳＩＭカード１２２またはＳＩＭカード１２４のいずれかによってアクセスされるいずれのサブスクリプションが使用されてもよい。モバイル端末は、初期ＳＩＭカード、たとえば、デフォルトのＳＩＭカードまたは選択されたＳＩＭカードを使用してＭＯ測位セッションを開始することを試みてよく、たとえば、初期ＳＩＭカードに関連するネットワークが利用不能であること、ネットワークの信号が弱いこと、ネットワークがビジーであること、またはモバイル端末がデータ限界もしくは初期ＳＩＭカード上の同時データセッションに関する限界に達したことなど、特定の所定の条件下で二次ＳＩＭカードに切り替えてもよい。一例として、第１のＳＩＭカード１２２によってアクセスされる第１のサブスクリプションはモバイル端末１２０のデフォルトのサブスクリプションであってもよく、ＭＯ測位セッションは、デフォルトのサブスクリプション、すなわち、第１のＳＩＭカード１２２に関連するサブスクリプションを使用して開始される。必要に応じて、デフォルトのサブスクリプションは、データと音声の両方に関してデフォルトであってもまたはデータのみに関してデフォルトであってもよい。代替的に、デフォルトのサブスクリプションが使用されないかまたは割り当てられていない場合、モバイル端末１２０は、ユーザがＳＩＭカード１２２またはＳＩＭカード１２４のどちら（すなわち、どちらのサブスクリプション）によってＭＯセッションを発信したいかをユーザに問い合わせてもよい。さらに、測位セッションを要求しているモバイル端末アプリケーションは特定のＳＩＭカードに関連付けられてもよく、したがって、モバイル端末アプリケーションは、ＭＯ測位セッションを発信するＳＩＭカードを選択してもよく、選択されるＳＩＭカードは非デフォルトＳＩＭカードであってもよい。初期サブスクリプションに関連するネットワークが、たとえば、利用不能であるか、弱いか、ビジーであるか、または応答していないか、あるいはモバイル端末１２０が初期サブスクリプションに関する限界（たとえば、データ転送限界または同時データセッションの総数に関する限界）に達した、などの場合、モバイル端末１２０は、第２のＳＩＭカード１２４に切り替え、第２のサブスクリプション、すなわち、非デフォルトＳＩＭカードまたは選択されないＳＩＭカード１２４に関連するサブスクリプションによってＭＯ測位セッションを開始してもよい。
【００２３】
[0027]さらに、モバイル端末１２０は、モバイル着信（ＭＴ）測位セッション、たとえば、ＬＣＳクライアント１６０によってネットワーク１３０を通じて開始される測位セッションまたはＬＣＳクライアント１６１によってネットワーク１３１を通じて開始される測位セッションを許可してもよい。したがって、ＳＩＭカード１２２によってアクセスされるサブスクリプションまたはＳＩＭカード１２４によってアクセスされるサブスクリプションのいずれかが測位セッションに使用されてもよい。たとえば、測位セッションの要求が受信されたネットワークに関連するＳＩＭカードが測位セッションに使用されてもよい。
【００２４】
[0028]第１のサブスクリプションおよび第２のサブスクリプションは、測位セッションの異なるサービス相互作用の規則を有してもよい。たとえば、第１のＳＩＭカード１２２によってアクセスされるサブスクリプションは、新しいモバイル発信測位要求またはモバイル着信測位要求を許可し、進行中の測位セッションを終了させて新しい要求のためのリソースを利用可能にしてもよく、一方、第２のＳＩＭカード１２４によってアクセスされるサブスクリプションは、進行中の測位セッションを維持し新しい測位セッションを拒絶してもよい。したがって、モバイル端末１２０は、ＭＯ測位セッションとＭＴ測位セッションの両方について既存のアクティブ測位セッションをホスティングするサブスクリプションのサービス相互作用の規則に従ってもよい。既存の測位セッションをホスティングしているサブスクリプションのサービス相互作用の規則に従うと、両方のサブスクリプションが公平に取り扱われるという利点がもたらされる。
【００２５】
[0029]図２は、たとえば、デュアルＳＩＭデュアルアクティブ（ＤＳＤＡ）モバイル端末であってもよいモバイル端末１２０などのデュアルＳＩＭモバイル端末においてユーザプレーン測位サービスまたは制御プレーン測位サービスを実現する方法のフローチャートである。図示されているように、この方法は、デュアルＳＩＭモバイル端末をネットワークに接続することを含み、ネットワークは、デュアルＳＩＭモバイル端末内の第１のＳＩＭカードによってアクセスされる第１のサブスクリプションに関連する第１のネットワークとデュアルＳＩＭモバイル端末内の第２のＳＩＭカードによってアクセスされる第２のサブスクリプションに関連する第２のネットワークのうちの一方である（２０２）。デュアルＳＩＭモバイル端末によってユーザプレーン測位セッションまたは制御プレーン測位セッションが開始されるとき、第１のＳＩＭカードに関連する第１のサブスクリプションまたは第２のＳＩＭカードに関連する第２のサブスクリプションのいずれかがユーザプレーン測位セッションまたは制御プレーン測位セッションに使用される（２０４）。たとえば、ネットワークを通じてユーザプレーン測位セッションまたは制御プレーン測位セッションを実行することは、第１のサブスクリプションを使用してデュアルＳＩＭモバイル端末とのユーザプレーン測位セッションまたは制御プレーン測位セッションを開始することを試みることと、デュアルＳＩＭモバイル端末とのユーザプレーン測位セッションまたは制御プレーン測位セッションを開始するために第２のサブスクリプションを使用することに切り替えることとを備えてもよい。第１のサブスクリプションは、たとえば、ユーザプレーン測位セッションまたは制御プレーン測位セッションに関するデフォルトのサブスクリプションまたは選択されたサブスクリプションであってもよい。一例として、サブスクリプションは、ユーザまたは測位セッションを要求するモバイル端末アプリケーションによって選択されてもよい。第２のサブスクリプションは、第１のサブスクリプションに関連する第１のネットワークが利用不能であるか、弱いか、ビジーであるか、または応答していないかのうちのいずれかであるときにユーザプレーン測位セッションまたは制御プレーン測位セッションを開始するのに使用されてもよい。さらに、第２のサブスクリプションは、第１のサブスクリプションがデータ転送限界または同時データセッションの総数に関する限界に達したときにユーザプレーン測位セッションまたは制御プレーン測位セッションを開始するのに使用されてもよい。さらに、ネットワークによってユーザプレーン測位セッションまたは制御プレーン測位セッションが開始されるとき、第１のＳＩＭカードに関連する第１のサブスクリプションまたは第２のＳＩＭカードに関連する第２のサブスクリプションのいずれかがユーザプレーン測位セッションまたは制御プレーン測位セッションに使用される（２０６）。測位セッションは、ユーザプレーン測位セッションまたは制御プレーン測位セッションであり、ネットワークを通じて実行される（２０８）。たとえば、ネットワークを通じて実行されるユーザプレーン測位セッションまたは制御プレーン測位セッションは、たとえば、ネットワークを使用する補助衛星測位セッションであってもよい。
【００２６】
[0030]第１のサブスクリプションおよび第２のサブスクリプションが異なるサービス相互作用の規則を有する場合、ネットワークを通じてユーザプレーン測位セッションまたは制御プレーン測位セッションを実行すること（２０８）は、ユーザプレーン測位セッションまたは制御プレーン測位セッションが第１のサブスクリプションを通じて行われるときに第１のサブスクリプションのサービス相互作用の規則に従うことと、ユーザプレーン測位セッションまたは制御プレーン測位セッションが第２のサブスクリプションを通じて行われるときに第２のサブスクリプションのサービス相互作用の規則に従うこととを備える。
【００２７】
[0031]図３は、たとえば、上述のようにいずれかのＳＩＭカード上で測位セッションを発信または受信するように構成されたデュアルＳＩＭデュアルアクティブ（ＤＳＤＡ）モバイル端末であってもよいモバイル端末１２０などのデュアルＳＩＭモバイル端末のいくつかの例示的な特徴を示す概略的なブロック図を示す。モバイル端末１２０は、たとえば、第１のネットワークに関連する第１のサブスクリプションにアクセスする第１のＳＩＭカード１２２と、第２のネットワークに関連する第２のサブスクリプションにアクセスする第２のＳＩＭカード１２４とを含んでもよい。モバイル端末１２０は、１つまたは複数の接続３０６（たとえば、バス、回線、ファイバー、リンクなど）に動作可能に結合され得る、１つまたは複数の処理ユニット３０２と、メモリ３０４と、トランシーバ３１０（たとえば、ワイヤレスネットワークインターフェース）と、（適用可能なとき）ＳＰＳ受信機３４０とをさらに含み得る。いくつかの例示的な実装形態では、モバイル端末１２０の全部または一部はチップセットなどの形態をとり得る。
【００２８】
[0032]トランシーバ３１０は、たとえば、１つまたは複数のタイプのワイヤレス通信ネットワーク上で１つまたは複数の信号を送信することが可能な送信機３１２と、１つまたは複数のタイプのワイヤレス通信ネットワーク上で送信され、たとえば、図１におけるＲＡＮ１４０を介してワイヤレスネットワーク１３０上で送信されＲＡＮ１４１を介してワイヤレスネットワーク１３１上で送信される１つまたは複数の信号を受信するための受信機３１４とを含み得る。必要に応じて、トランシーバ３１０は、様々なネットワークとの間で信号を送受信するための２つの送信機および２つの受信機を含んでもよい。
【００２９】
[0033]ＳＰＳ受信機３４０は、１つまたは複数のＳＰＳリソース、たとえば、図１における衛星ビークル（ＳＶ）１８０に関連する信号を受信することが可能であり得る。
【００３０】
[0034]処理ユニット３０２は、ハードウェアとファームウェアとソフトウェアとの組合せを使用して実装され得る。処理ユニット３０２は、モバイル端末１２０の動作に関係するデータ信号コンピューティングプロシージャまたはプロセスの少なくとも一部分を実行するように構成可能な１つまたは複数の回路を表し得る。処理ユニット３０２は、ＳＩＭカード１２２または１２４のいずれかを選択し、したがって、それに応じて、モバイル端末１２０によって開始されるユーザプレーン測位セッションまたは制御プレーン測位セッションの関連するサブスクリプションを選択するためのＳＩＭ選択モジュール３１６を含んでもよい。ユーザプレーン測位セッションまたは制御プレーン測位セッションがネットワークによって開始される場合、ＳＩＭ選択モジュール３１６は、たとえば、測位セッションの要求が受信されたサブスクリプションおよびネットワークに関連するＳＩＭカード１２２または１２４を選択する。ＳＩＭ選択モジュール３１６は、デフォルトのＳＩＭであってもまたはユーザ／アプリケーションによって選択されたＳＩＭ（またはサブスクリプション）であってもよい第１のＳＩＭカードに関連する第１のサブスクリプションを使用してユーザプレーン測位セッションまたは制御プレーン測位セッションを開始する開始モジュール３１８をさらに含んでもよい。切替えモジュール３１９は、たとえば、第１のサブスクリプションに関連する第１のネットワークが利用不能であるか、弱いか、ビジーであるか、または応答していないか、あるいは第１のサブスクリプションがデータ転送限界または同時データセッションの総数に関する限界に達した場合にユーザプレーン測位セッションまたは制御プレーン測位セッションを開始するために第２のＳＩＭカード、すなわち、非デフォルトＳＩＭカードまたは非選択ＳＩＭカードに関連する第２のサブスクリプションに切り替える。処理ユニット３０２は、ＳＰＳ受信機３４０を通じて受信されるＳＰＳ信号も使用し得るネットワークを通じてユーザプレーン測位セッションまたは制御プレーン測位セッションを実行するための測位モジュール３２２を含んでもよい。さらに、処理ユニット３０２は、ユーザプレーン測位セッションまたは制御プレーン測位セッションにおいて使用されるサブスクリプションのサービス相互作用の規則に従うためのサービス相互作用の規則モジュール３２４を含んでもよく、たとえば、第１のサブスクリプションと第２のサブスクリプションは、異なるサービス相互作用の規則を有する。様々なモジュール３１６、３１８、３１９、３２２、および３２４は、ハードウェア、ファームウェア、およびソフトウェアまたはそれらの組合せで実装され得る。
【００３１】
[0035]フローチャートおよびメッセージフローにおける本明細書で説明する方法は、適用例に応じて様々な手段によって実装できる。たとえば、これらの方法は、ハードウェア、ファームウェア、ソフトウェア、またはそれらの任意の組合せで実装できる。ハードウェア実装の場合、処理ユニット３０２は、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明した機能を実行するように設計された他の電子ユニット、またはそれらの組合せの中で実装され得る。
【００３２】
[0036]ファームウェアおよび／またはソフトウェア実装の場合、それらの方法は、本明細書で説明した機能を実行するモジュール（たとえば、プロシージャ、関数など）を用いて実装され得る。命令を有形に実施するいずれの機械可読媒体も、本明細書に記載された方法の実施において使用され得る。たとえば、ソフトウェアコードが、プロセッサユニット３０２に接続され、プロセッサユニット３０２によって実行される非一時的コンピュータ可読媒体３２０またはメモリ３０４の中に記憶され得る。メモリは、処理ユニットの内部または処理ユニットの外部に実装され得る。本明細書で使用する「メモリ」という用語は、長期メモリ、短期メモリ、揮発性メモリ、不揮発性メモリ、または他のメモリのいずれかのタイプを指し、メモリの特定のタイプまたはメモリの数、あるいはメモリが記憶される媒体のタイプに限定されるべきではない。
【００３３】
[0037]ファームウェアおよび／またはソフトウェアで実装する場合、機能は、コンピュータ可読媒体３２０および／またはメモリ３０４など、非一時的コンピュータ可読媒体上に１つまたは複数の命令３０８またはコードとして記憶され得る。例としては、データ構造で符号化されたコンピュータ可読媒体、およびコンピュータプログラムで符号化されたコンピュータ可読媒体がある。非一時的コンピュータ可読媒体は、物理的コンピュータ記憶媒体を含む。記憶媒体は、コンピュータによってアクセスされ得る任意の利用可能な非一時的媒体であり得る。限定ではなく、例として、そのような非一時的コンピュータ可読媒体は、ＲＡＭ、ＲＯＭ、ＥＥＰＲＯＭ（登録商標）、ＣＤ−ＲＯＭまたは他の光ディスク（disk）ストレージ、磁気ディスク（disk）ストレージ、または他の磁気ストレージデバイス、あるいは命令またはデータ構造の形態で所望のプログラムコードを記憶するために使用され得、コンピュータによってアクセスされ得る任意の他の媒体を備えることができ、本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザーで光学的に再生する。上記の組合せはまた、コンピュータ可読媒体の範囲に含まれるべきである。
【００３４】
[0038]コンピュータ可読媒体上での記憶に加えて、命令および／またはデータは、通信装置中に含まれる伝送媒体上の信号として与えられてもよい。たとえば、通信装置は、命令とデータとを示す信号を有するトランシーバを含み得る。命令およびデータは、１つまたは複数のプロセッサに、特許請求の範囲で概説する機能を実装させるように構成される。すなわち、通信装置は、開示した機能を実行するための情報を示す信号をもつ伝送媒体を含む。
【００３５】
[0039]メモリ３０４は、任意のデータ記憶機構を表し得る。たとえば、メモリ３０４は、一次メモリおよび／または二次メモリを含み得る。たとえば、一次メモリは、ランダムアクセスメモリ、読取り専用メモリなどを含み得る。この例では処理ユニット３０２とは別個として示されているが、一次メモリの全部または一部を、処理ユニット３０２内に設ける、または場合によっては処理ユニット３０２と共設／結合することができることを理解されたい。たとえば、二次メモリは、一次メモリ、および／または１つまたは複数のデータ記憶デバイスもしくはシステム、たとえば、ディスクドライブ、光ディスクドライブ、テープドライブ、固体メモリドライブなどと同じまたは同様の種類のメモリを含み得る。
【００３６】
[0040]いくつかの実装形態では、二次メモリは、非一時的コンピュータ可読媒体３２０を動作可能に受容するか、または場合によってはそれに結合するように構成され得る。したがって、いくつかの例示的な実装形態では、本明細書で提示する方法および／または装置は、少なくとも１つの処理ユニット３０２によって実行されると、本明細書で説明する例示的な動作の全部または一部分を実行することが動作上可能になり得る、その上に記憶されたコンピュータ実施可能命令３０８を含むことができる、コンピュータ可読媒体３２０の形態を全体的にまたは一部とることができる。コンピュータ可読媒体３２０は、メモリ３０４の一部であってよい。
【００３７】
[0041]したがって、モバイル端末１２０は、ネットワークに接続するための手段を含んでもよく、ネットワークは、第１のＳＩＭカードによってアクセスされる第１のサブスクリプションに関連する第１のネットワークと第２のＳＩＭカードによってアクセスされる第２のサブスクリプションに関連する第２のネットワークのうちの一方であり、ネットワークに接続するための手段は、たとえばトランシーバ３１０であってよく、ＳＩＭ選択モジュール３１６をさらに含んでよい。ユーザプレーン測位セッションまたは制御プレーン測位セッションがネットワークによって開始される場合、モバイル端末１２０は、ＳＩＭ選択モジュール３１６など、測位セッションの要求が受信されたサブスクリプションおよびネットワークに関連するＳＩＭカード１２２または１２４を選択するための手段を含んでもよい。モバイル端末１２０は、ＳＩＭ選択モジュール３１６および開始モジュール３１８など、第１のサブスクリプションを使用してデュアルＳＩＭモバイル端末とのユーザプレーン測位セッションまたは制御プレーン測位セッションを開始することを試みるための手段と、たとえば、ＳＩＭ選択モジュール３１６および切替えモジュール３１９であってもよい、デュアルＳＩＭモバイル端末とのユーザプレーン測位セッションまたは制御プレーン測位セッションを開始するために第２のサブスクリプションを使用することに切り替えるための手段とをさらに含んでもよい。ネットワークを通じてユーザプレーン測位セッションまたは制御プレーン測位セッションを実行するための手段は、たとえば、測位モジュール３２２であってもよい。モバイル端末１２０は、ユーザプレーン測位セッションまたは制御プレーン測位セッションが第１のサブスクリプションを通じて行われるときには、第１のサブスクリプションのサービス相互作用の規則に従い、ユーザプレーン測位セッションまたは制御プレーン測位セッションが第２のサブスクリプションを通じて行われるときには、たとえばサービス相互作用の規則３２４であってもよい第２のサブスクリプションのサービス相互作用の規則に従うための手段をさらに含んでもよい。
【００３８】
[0042]デュアルＳＩＭモバイル端末１２０は、緊急測位セッション、たとえば、緊急呼に応答して開始される測位セッションに使用されてもよい。モバイル端末１２０は、緊急呼および緊急呼後の緊急コールバック期間の間にのみ緊急測位セッションを許可し、緊急呼が発信されたサブスクリプションに対してのみ緊急測位セッションを許可してもよい。したがって、ユーザ位置は、呼を扱うＰＳＡＰ（公共安全応答ポイント）に与えられ、ユーザ位置が不正なサーバに与えられるリスクは低減される。さらに、第１のサブスクリプションまたは第２のサブスクリプションのいずれに対する非緊急測位セッションも、緊急測位セッションの間および／または緊急呼の間は許可されない。非緊急測位セッションは、緊急呼後の緊急コールバック期間の間第１のサブスクリプションまたは第２のサブスクリプションのいずれに対しても許可されないことがある。さらに、モバイル端末１２０は、緊急呼がなされたときに既存の非緊急測位セッションを停止してもよい。したがって、緊急測位セッションには最高の優先順位が与えられ、緊急測位セッションが成功する機会が向上する。
【００３９】
[0043]図４は、デュアルＳＩＭモバイル端末における緊急測位セッションをサポートする方法のフローチャートを示す。この方法は、デュアルＳＩＭモバイル端末を緊急呼のためにネットワークに接続することを含み、ネットワークは、デュアルＳＩＭモバイル端末内の第１のＳＩＭカードによってアクセスされる第１のサブスクリプションに関連する第１のネットワークとデュアルＳＩＭモバイル端末内の第２のＳＩＭカードによってアクセスされる第２のサブスクリプションに関連する第２のネットワークのうちの一方である（４５２）。モバイル端末は、たとえば、デフォルトのＳＩＭカードまたは選択されたＳＩＭカードを使用して、緊急呼のためにネットワークに接続されてもよい。図示されているように、緊急測位セッションは、緊急呼および緊急呼後の緊急コールバック期間の間にのみ許可される（４５４）。緊急測位セッションは、緊急呼が発信されるサブスクリプションに対してのみ許可される（４５６）。緊急測位セッションがネットワークを通じて実行される（４５８）。さらに、第１のサブスクリプションまたは第２のサブスクリプションのいずれに対する非緊急測位セッションも、緊急測位セッションの間または緊急呼の間は許可されない（４６０）。さらに、この方法は、緊急呼後の緊急コールバック期間の間第１のサブスクリプションまたは第２のサブスクリプションのいずれに対しても非緊急測位セッションを許可しないことを含んでもよい。
【００４０】
[0044]図５は、たとえば、上述のように緊急測位セッション向けに構成されたデュアルＳＩＭデュアルアクティブ（ＤＳＤＡ）モバイル端末であってもよいモバイル端末５２０などのデュアルＳＩＭモバイル端末のいくつかの例示的な特徴を示す概略的なブロック図を示す。図５のモバイル端末５２０は、図３を参照して説明したモバイル端末１２０と同様であり、名称が同じ要素は同じ要素である。図示されているように、モバイル端末５２０は、図３を参照して説明した処理ユニット３０２と同様であってもよく、上記で説明した様々なモジュール３１６、３１８、３１９、３２２、および３２４を任意に含んでもよい１つまたは複数の処理ユニット５０２を含んでもよい。
【００４１】
[0045]処理ユニット５０２は、ハードウェアとファームウェアとソフトウェアとの組合せを使用して実装され得る。処理ユニット５０２は、モバイル端末５２０の動作に関係するデータ信号コンピューティングプロシージャまたはプロセスの少なくとも一部分を実行するように構成可能な１つまたは複数の回路を表し得る。処理ユニット５０２は、モバイル端末５２０が緊急呼のためにいつネットワークに接続するかを決定するのに使用される緊急呼モジュール５２６を含んでもよい。処理ユニット５０２は、ネットワークを通じて緊急測位セッションを実行するための緊急測位モジュール５２８をさらに含んでもよい。上述のように、緊急測位モジュール５２８は、緊急呼および緊急呼後の緊急コールバック期間の間にのみ緊急測位セッションを許可するのに使用されてよく、緊急呼が発信されるサブスクリプションを使用して緊急測位セッションを開始し、緊急測位セッションの間または緊急呼の間または緊急呼後の緊急コールバック期間の間には第１のサブスクリプションに対してもまたは第２のサブスクリプションに対しても非緊急測位セッションが許可されないようにする。緊急測位セッション５２８は、緊急呼がなされたときに既存の非緊急測位セッションを停止するのに使用されてもよい。緊急呼モジュール５２６および緊急測位セッションモジュール５２８は、ハードウェア、ファームウェア、およびソフトウェアまたはそれらの組合せで実装され得る。
【００４２】
[0046]フローチャートおよびメッセージフローにおける本明細書で説明する方法は、適用例に応じて様々な手段によって実装できる。たとえば、これらの方法は、ハードウェア、ファームウェア、ソフトウェア、またはそれらの任意の組合せで実装できる。ハードウェア実装の場合、処理ユニット５０２は、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明した機能を実行するように設計された他の電子ユニット、またはそれらの組合せの中で実装され得る。
【００４３】
[0047]ファームウェアおよび／またはソフトウェア実装の場合、それらの方法は、本明細書で説明した機能を実行するモジュール（たとえば、プロシージャ、関数など）を用いて実装され得る。命令を有形に実施するいずれの機械可読媒体も、本明細書に記載された方法の実施において使用され得る。たとえば、ソフトウェアコードが、プロセッサユニット５０２に接続され、プロセッサユニット５０２によって実行される非一時的コンピュータ可読媒体５２０またはメモリ５０４の中に記憶され得る。メモリは、処理ユニットの内部または処理ユニットの外部に実装され得る。本明細書で使用する「メモリ」という用語は、長期メモリ、短期メモリ、揮発性メモリ、不揮発性メモリ、または他のメモリのいずれかのタイプを指し、メモリの特定のタイプまたはメモリの数、あるいはメモリが記憶される媒体のタイプに限定されるべきではない。
【００４４】
[0048]ファームウェアおよび／またはソフトウェアで実装する場合、機能は、コンピュータ可読媒体５２０および／またはメモリ５０４など、非一時的コンピュータ可読媒体上に１つまたは複数の命令５０８またはコードとして記憶され得る。例としては、データ構造で符号化されたコンピュータ可読媒体、およびコンピュータプログラムで符号化されたコンピュータ可読媒体がある。非一時的コンピュータ可読媒体は、物理的コンピュータ記憶媒体を含む。記憶媒体は、コンピュータによってアクセスされ得る任意の利用可能な非一時的媒体であり得る。限定ではなく、例として、そのような非一時的コンピュータ可読媒体は、ＲＡＭ、ＲＯＭ、ＥＥＰＲＯＭ、ＣＤ−ＲＯＭまたは他の光ディスク（disk）ストレージ、磁気ディスク（disk）ストレージ、または他の磁気ストレージデバイス、あるいは命令またはデータ構造の形態で所望のプログラムコードを記憶するために使用され得、コンピュータによってアクセスされ得る任意の他の媒体を備えることができ、本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびブルーレイディスク（disc）を含み、ディスク（disk）は、通常、データを磁気的に再生し、ディスク（disc）は、データをレーザーで光学的に再生する。上記の組合せはまた、コンピュータ可読媒体の範囲に含まれるべきである。
【００４５】
[0049]コンピュータ可読媒体上での記憶に加えて、命令および／またはデータは、通信装置中に含まれる伝送媒体上の信号として与えられてもよい。たとえば、通信装置は、命令とデータとを示す信号を有するトランシーバを含み得る。命令およびデータは、１つまたは複数のプロセッサに、特許請求の範囲で概説する機能を実装させるように構成される。すなわち、通信装置は、開示した機能を実行するための情報を示す信号をもつ伝送媒体を含む。
【００４６】
[0050]メモリ５０４は、任意のデータ記憶機構を表し得る。たとえば、メモリ５０４は、一次メモリおよび／または二次メモリを含み得る。たとえば、一次メモリは、ランダムアクセスメモリ、読取り専用メモリなどを含み得る。この例では処理ユニット５０２とは別個として示されているが、一次メモリの全部または一部を、処理ユニット５０２内に設ける、または場合によっては処理ユニット５０２と共設／結合することができることを理解されたい。たとえば、二次メモリは、一次メモリと同じまたは同様の種類のメモリ、および／または１つもしくは複数のデータ記憶デバイスもしくはシステム、たとえば、ディスクドライブ、光ディスクドライブ、テープドライブ、固体メモリドライブなどを含み得る。
【００４７】
[0051]いくつかの実装形態では、二次メモリは、非一時的コンピュータ可読媒体５２０を動作可能に受容するか、または場合によってはそれに結合するように構成され得る。したがって、いくつかの例示的な実装形態では、本明細書で提示する方法および／または装置は、少なくとも１つの処理ユニット５０２によって実行されると、本明細書で説明する例示的な動作の全部または一部分を実行することが動作上可能になり得る、その上に記憶されたコンピュータ実施可能命令５０８を含むことができる、コンピュータ可読媒体５２０の形態を全体的にまたは一部とることができる。コンピュータ可読媒体５２０は、メモリ５０４の一部であってよい。
【００４８】
[0052]したがって、モバイル端末５２０は、デュアルＳＩＭモバイル端末を緊急呼のためにネットワークに接続するための手段を含んでもよく、ネットワークは、デュアルＳＩＭモバイル端末内の第１のＳＩＭカードによってアクセスされる第１のサブスクリプションに関連する第１のネットワークとデュアルＳＩＭモバイル端末内の第２のＳＩＭカードによってアクセスされる第２のサブスクリプションに関連する第２のネットワークのうちの一方であり、たとえば、トランシーバ５１０であってもよく、緊急呼モジュール５２６をさらに含んでもよい。ネットワークを通じて緊急測位セッションを実行するための手段は、たとえば、緊急測位セッションモジュール５２８であってもよく、緊急測位セッションは、緊急呼および緊急呼後の緊急コールバック期間の間にのみ許可され、緊急測位セッションは、緊急呼が発信されるサブスクリプションに対してのみ許可され、第１のサブスクリプションまたは第２のサブスクリプションのいずれに対する非緊急測位セッションも緊急測位セッションの間または緊急呼の間は許可されない。ネットワークを通じて緊急測位セッションを実行するための手段、たとえば、緊急測位セッションモジュール５２８はさらに、緊急呼後の緊急コールバック期間の間は第１のサブスクリプションまたは第２のサブスクリプションのいずれに対する非緊急測位セッションも許可しないことがある。
【００４９】
[0053]本発明は、教授の目的で特定の実施形態に関して示したが、本発明はそれらの実施形態に限定されない。本発明の範囲から逸脱することなく、様々な適応および修正が行われ得る。したがって、添付の特許請求の範囲の趣旨および範囲は上記の説明に限定されるべきでない。
【図１】
2016140079.tif 000003
【図２】
2016140079.tif 000004
【図３】
2016140079.tif 000005
【図４】
2016140079.tif 000006
【図５】
2016140079.tif 000007
【手続補正書】
【提出日】平成28年3月22日(2016.3.22)
【手続補正１】
【補正対象書類名】特許請求の範囲
【補正対象項目名】全文
【補正方法】変更
【補正の内容】
【特許請求の範囲】
【請求項１】
デュアル加入者識別モジュール（ＳＩＭ）モバイル端末において緊急測位セッションをサポートする方法であって、
前記デュアルＳＩＭモバイル端末を緊急呼のためにネットワークに接続することと、ここにおいて、前記ネットワークは、前記デュアルＳＩＭモバイル端末内の第１のＳＩＭカードによってアクセスされる第１のサブスクリプションに関連する第１のネットワークと前記デュアルＳＩＭモバイル端末内の第２のＳＩＭカードによってアクセスされる第２のサブスクリプションに関連する第２のネットワークのうちの一方であり、
前記ネットワークを通じて前記緊急測位セッションを実行することとを備え、
前記緊急測位セッションは、前記緊急呼および前記緊急呼後の緊急コールバック期間の間にのみ許可され、
前記緊急測位セッションは、前記緊急呼が発信されるサブスクリプションに対してのみ許可され、
前記第１のサブスクリプションまたは前記第２のサブスクリプションのいずれに対する非緊急測位セッションも、前記緊急測位セッションの間または前記緊急呼の間は許可されない方法。
【請求項２】
前記第１のサブスクリプションまたは前記第２のサブスクリプションのいずれに対すも非緊急測位セッションも、前記緊急呼後の前記緊急コールバック期間の間は許可されない、請求項１に記載の方法。
【請求項３】
モバイル端末であって、
第１のネットワークに関連する第１のサブスクリプションにアクセスする第１の加入者識別モジュール（ＳＩＭ）カードと、
第２のネットワークに関連する第２のサブスクリプションにアクセスする第２のＳＩＭカードと、
前記第１のネットワークおよび前記第２のネットワークと通信するトランシーバと、
前記トランシーバに接続されたプロセッサとを備え、前記プロセッサは、前記トランシーバを使用して緊急呼のためにネットワークに接続することと、ここにおいて、前記ネットワークは、前記第１のＳＩＭカードによってアクセスされる前記第１のサブスクリプションに関連する前記第１のネットワークと前記第２のＳＩＭカードによってアクセスされる前記第２のサブスクリプションに関連する前記第２のネットワークのうちの一方であり、前記ネットワークを通じて緊急測位セッションを実行することとを行うように構成され、ここにおいて、前記緊急測位セッションは、前記緊急呼および前記緊急呼後の緊急コールバック期間の間にのみ許可され、ここにおいて、前記緊急測位セッションは、前記緊急呼が発信されるサブスクリプションに対してのみ許可され、ここにおいて、前記第１のサブスクリプションまたは前記第２のサブスクリプションのいずれに対する非緊急測位セッションも、前記緊急測位セッションの間または前記緊急呼の間は許可されないモバイル端末。
【請求項４】
前記第１のサブスクリプションまたは前記第２のサブスクリプションのいずれに対する非緊急測位セッションも、前記緊急呼後の前記緊急コールバック期間の間は許可されない、請求項３に記載のモバイル端末。
【請求項５】
デュアル加入者識別モジュール（ＳＩＭ）モバイル端末であって、
前記デュアルＳＩＭモバイル端末を緊急呼のためにネットワークに接続するための手段と、ここにおいて、前記ネットワークは、前記デュアルＳＩＭモバイル端末内の第１のＳＩＭカードによってアクセスされる第１のサブスクリプションに関連する第１のネットワークと前記デュアルＳＩＭモバイル端末内の第２のＳＩＭカードによってアクセスされる第２のサブスクリプションに関連する第２のネットワークのうちの一方であり、
前記ネットワークを通じて緊急測位セッションを実行するための手段とを備え、
前記緊急測位セッションは、前記緊急呼および前記緊急呼後の緊急コールバック期間の間にのみ許可され、
前記緊急測位セッションは、前記緊急呼が発信されるサブスクリプションに対してのみ許可され、
前記第１のサブスクリプションまたは前記第２のサブスクリプションのいずれに対する非緊急測位セッションも、前記緊急測位セッションの間または前記緊急呼の間は許可されないデュアルＳＩＭモバイル端末。
【請求項６】
前記第１のサブスクリプションまたは前記第２のサブスクリプションのいずれに対する非緊急測位セッションも、前記緊急呼後の前記緊急コールバック期間の間は許可されない、請求項５に記載のデュアルＳＩＭモバイル端末。
【請求項７】
記憶されたプログラムコードを含む非一時的コンピュータ可読媒体であって、
デュアルＳＩＭモバイル端末を緊急呼のためにネットワークに接続するためのプログラムコードと、ここにおいて、前記ネットワークは、前記デュアルＳＩＭモバイル端末内の第１のＳＩＭカードによってアクセスされる第１のサブスクリプションに関連する第１のネットワークと前記デュアルＳＩＭモバイル端末内の第２のＳＩＭカードによってアクセスされる第２のサブスクリプションに関連する第２のネットワークのうちの一方であり、
前記ネットワークを通じて緊急測位セッションを実行するためのプログラムコードとを備え、
前記緊急測位セッションは、前記緊急呼および前記緊急呼後の緊急コールバック期間の間にのみ許可され、
前記緊急測位セッションは、前記緊急呼が発信されるサブスクリプションに対してのみ許可され、
前記第１のサブスクリプションまたは前記第２のサブスクリプションのいずれに対する非緊急測位セッションも、前記緊急測位セッションの間または前記緊急呼の間は許可されない非一時的コンピュータ可読媒体。
【請求項８】
前記第１のサブスクリプションまたは前記第２のサブスクリプションのいずれに対する非緊急測位セッションも、前記緊急呼後の前記緊急コールバック期間の間は許可されない、請求項７に記載の非一時的コンピュータ可読媒体。
【手続補正２】
【補正対象書類名】明細書
【補正対象項目名】００４９
【補正方法】変更
【補正の内容】
【００４９】
[0053]本発明は、教授の目的で特定の実施形態に関して示したが、本発明はそれらの実施形態に限定されない。本発明の範囲から逸脱することなく、様々な適応および修正が行われ得る。したがって、添付の特許請求の範囲の趣旨および範囲は上記の説明に限定されるべきでない。
以下に、出願当初の特許請求の範囲に記載された発明を付記する。
［Ｃ１］デュアル加入者識別モジュール（ＳＩＭ）モバイル端末においてユーザプレーン測位サービスまたは制御プレーン測位サービスを実現する方法であって、
前記デュアルＳＩＭモバイル端末をネットワークに接続することと、ここにおいて、前記ネットワークは、前記デュアルＳＩＭモバイル端末内の第１のＳＩＭカードによってアクセスされる第１のサブスクリプションに関連する第１のネットワークと前記デュアルＳＩＭモバイル端末内の第２のＳＩＭカードによってアクセスされる第２のサブスクリプションに関連する第２のネットワークのうちの一方であり、
前記ネットワークを通じてユーザプレーン測位セッションまたは制御プレーン測位セッションを実行することとを備え、
前記デュアルＳＩＭモバイル端末によって前記ユーザプレーン測位セッションまたは前記制御プレーン測位セッションが開始されるとき、前記第１のＳＩＭカードに関連する前記第１のサブスクリプションまたは前記第２のＳＩＭカードに関連する前記第２のサブスクリプションのいずれかが前記ユーザプレーン測位セッションまたは前記制御プレーン測位セッションに使用され、
前記ネットワークによって前記ユーザプレーン測位セッションまたは前記制御プレーン測位セッションが開始されるとき、前記第１のＳＩＭカードに関連する前記第１のサブスクリプションまたは前記第２のＳＩＭカードに関連する前記第２のサブスクリプションのいずれかが前記ユーザプレーン測位セッションまたは前記制御プレーン測位セッションに使用される方法。
［Ｃ２］前記ネットワークを通じて前記ユーザプレーン測位セッションまたは前記制御プレーン測位セッションを実行することは、
前記第１のサブスクリプションを使用して前記デュアルＳＩＭモバイル端末との前記ユーザプレーン測位セッションまたは前記制御プレーン測位セッションを開始することを試みることと、
前記デュアルＳＩＭモバイル端末との前記ユーザプレーン測位セッションまたは前記制御プレーン測位セッションを開始するために前記第２のサブスクリプションを使用することに切り替えることとを備える、Ｃ１に記載の方法。
［Ｃ３］前記第１のサブスクリプションは、前記ユーザプレーン測位セッションまたは前記制御プレーン測位セッションに関するデフォルトのサブスクリプションと選択されたサブスクリプションのうちの一方である、Ｃ２に記載の方法。
［Ｃ４］前記第２のサブスクリプションは、前記第１のサブスクリプションに関連する前記第１のネットワークが利用不能であるか、弱いか、ビジーであるか、または応答していないかのうちのいずれかであるときに前記ユーザプレーン測位セッションまたは前記制御プレーン測位セッションを開始するのに使用される、Ｃ２に記載の方法。
［Ｃ５］前記第２のサブスクリプションは、前記第１のサブスクリプションがデータ転送限界または同時データセッションの総数に関する限界に達したときに前記ユーザプレーン測位セッションまたは前記制御プレーン測位セッションを開始するのに使用される、Ｃ２に記載の方法。
［Ｃ６］前記第１のサブスクリプションおよび前記第２のサブスクリプションは、異なるサービス相互作用の規則を有し、前記ネットワークを通じて前記ユーザプレーン測位セッションまたは前記制御プレーン測位セッションを実行することは、
前記ユーザプレーン測位セッションまたは前記制御プレーン測位セッションが前記第１のサブスクリプションを通じて行われるときに前記第１のサブスクリプションの前記サービス相互作用の規則に従い、前記ユーザプレーン測位セッションまたは前記制御プレーン測位セッションが前記第２のサブスクリプションを通じて行われるときに前記第２のサブスクリプションの前記サービス相互作用の規則に従うことを備える、Ｃ１に記載の方法。
［Ｃ７］前記ネットワークを通じて前記ユーザプレーン測位セッションまたは前記制御プレーン測位セッションを実行することは、前記ネットワークを使用して補助衛星測位セッションを実行することを備える、Ｃ１に記載の方法。
［Ｃ８］モバイル端末であって、
第１のネットワークに関連する第１のサブスクリプションにアクセスする第１の加入者識別モジュール（ＳＩＭ）カードと、
第２のネットワークに関連する第２のサブスクリプションにアクセスする第２のＳＩＭカードと、
前記第１のネットワークおよび前記第２のネットワークと通信するトランシーバと、
前記トランシーバに接続され、前記ネットワークを通じてユーザプレーン測位セッションまたは制御プレーン測位セッションを実行するように構成されたプロセッサとを備え、ここにおいて、前記ユーザプレーン測位セッションまたは前記制御プレーン測位セッションが前記モバイル端末によって開始されるとき、前記第１のＳＩＭカードに関連する前記第１のサブスクリプションまたは前記第２のＳＩＭカードに関連する前記第２のサブスクリプションのいずれかが前記ユーザプレーン測位セッションまたは前記制御プレーン測位セッションに使用され、前記ユーザプレーン測位セッションまたは前記制御プレーン測位セッションが前記ネットワークによって開始されるとき、前記第１のＳＩＭカードに関連する前記第１のサブスクリプションまたは前記第２のＳＩＭカードに関連する前記第２のサブスクリプションのいずれかが前記ユーザプレーン測位セッションまたは前記制御プレーン測位セッションに使用されるモバイル端末。
［Ｃ９］前記プロセッサは、前記第１のサブスクリプションによって前記ユーザプレーン測位セッションまたは前記制御プレーン測位セッションを開始することを試みることと、前記ユーザプレーン測位セッションまたは前記制御プレーン測位セッションを開始するために前記第２のサブスクリプションを使用することに切り替えることとを行うように構成されることによって、前記ネットワークを通じて前記ユーザプレーン測位セッションまたは前記制御プレーン測位セッションを実行するように構成される、Ｃ８に記載のモバイル端末。
［Ｃ１０］前記第１のサブスクリプションは、前記ユーザプレーン測位セッションまたは前記制御プレーン測位セッションに関するデフォルトのサブスクリプションと選択されたサブスクリプションのうちの一方である、Ｃ９に記載のモバイル端末。
［Ｃ１１］前記第２のサブスクリプションは、前記第１のサブスクリプションに関連する前記第１のネットワークが利用不能であるか、弱いか、ビジーであるか、または応答していないかのうちのいずれかであるときに前記ユーザプレーン測位セッションまたは前記制御プレーン測位セッションを開始するのに使用される、Ｃ９に記載のモバイル端末。
［Ｃ１２］前記第２のサブスクリプションは、前記第１のサブスクリプションがデータ転送限界または同時データセッションの総数に関する限界に達したときに前記ユーザプレーン測位セッションまたは前記制御プレーン測位セッションを開始するのに使用される、Ｃ９に記載のモバイル端末。
［Ｃ１３］前記第１のサブスクリプションおよび前記第２のサブスクリプションが異なるサービス相互作用の規則を有し、前記プロセッサは、前記ユーザプレーン測位セッションまたは前記制御プレーン測位セッションが前記第１のサブスクリプションを通じて行われるときに前記第１のサブスクリプションの前記サービス相互作用の規則に従うことと、前記ユーザプレーン測位セッションまたは前記制御プレーン測位セッションが前記第２のサブスクリプションを通じて行われるときに前記第２のサブスクリプションの前記サービス相互作用の規則に従うようにさらに構成される、Ｃ８に記載のモバイル端末。
［Ｃ１４］前記モバイル端末は、衛星測位システム信号を受信するための受信機をさらに備え、前記プロセッサは、前記ネットワークを使用して補助衛星測位セッションを実行するように構成されることによって前記ネットワークを通じて前記ユーザプレーン測位セッションまたは前記制御プレーン測位セッションを実行するように構成される、Ｃ８に記載のモバイル端末。
［Ｃ１５］デュアル加入者識別モジュール（ＳＩＭ）モバイル端末であって、
ネットワークに接続するための手段と、ここにおいて、前記ネットワークは、第１のＳＩＭカードによってアクセスされる第１のサブスクリプションに関連する第１のネットワークと第２のＳＩＭカードによってアクセスされる第２のサブスクリプションに関連する第２のネットワークのうちの一方であり、
前記ネットワークを通じてユーザプレーン測位セッションまたは制御プレーン測位セッションを実行するための手段とを備え、
前記デュアルＳＩＭモバイル端末によって前記ユーザプレーン測位セッションまたは前記制御プレーン測位セッションが開始されるとき、前記第１のＳＩＭカードに関連する前記第１のサブスクリプションまたは前記第２のＳＩＭカードに関連する前記第２のサブスクリプションのいずれかが前記ユーザプレーン測位セッションまたは前記制御プレーン測位セッションに使用され、
前記ネットワークによって前記ユーザプレーン測位セッションまたは前記制御プレーン測位セッションが開始されるとき、前記第１のＳＩＭカードに関連する前記第１のサブスクリプションまたは前記第２のＳＩＭカードに関連する前記第２のサブスクリプションのいずれかが前記ユーザプレーン測位セッションまたは前記制御プレーン測位セッションに使用されるデュアルＳＩＭモバイル端末。
［Ｃ１６］前記第１のサブスクリプションを使用して前記デュアルＳＩＭモバイル端末との前記ユーザプレーン測位セッションまたは前記制御プレーン測位セッションを開始することを試みるための手段と、
前記デュアルＳＩＭモバイル端末との前記ユーザプレーン測位セッションまたは前記制御プレーン測位セッションを開始するために前記第２のサブスクリプションを使用することに切り替えるための手段とをさらに備える、Ｃ１５に記載のデュアルＳＩＭモバイル端末。
［Ｃ１７］前記第１のサブスクリプションおよび前記第２のサブスクリプションは、異なるサービス相互作用の規則を有し、
前記ユーザプレーン測位セッションまたは前記制御プレーン測位セッションが前記第１のサブスクリプションを通じて行われるときに前記第１のサブスクリプションの前記サービス相互作用の規則に従い、前記ユーザプレーン測位セッションまたは前記制御プレーン測位セッションが前記第２のサブスクリプションを通じて行われるときに前記第２のサブスクリプションの前記サービス相互作用の規則に従うための手段をさらに備える、Ｃ１５に記載のデュアルＳＩＭモバイル端末。
［Ｃ１８］記憶されたプログラムコードを含む非一時的コンピュータ可読媒体であって、
デュアルＳＩＭモバイル端末をネットワークに接続するためのプログラムコードと、ここにおいて、前記ネットワークは、前記デュアルＳＩＭモバイル端末内の第１のＳＩＭカードによってアクセスされる第１のサブスクリプションに関連する第１のネットワークと前記デュアルＳＩＭモバイル端末内の第２のＳＩＭカードによってアクセスされる第２のサブスクリプションに関連する第２のネットワークのうちの一方であり、
前記ネットワークを通じてユーザプレーン測位セッションまたは制御プレーン測位セッションを実行するためのプログラムコードとを備え、
前記デュアルＳＩＭモバイル端末によって前記ユーザプレーン測位セッションまたは前記制御プレーン測位セッションが開始されるとき、前記第１のＳＩＭカードに関連する前記第１のサブスクリプションまたは前記第２のＳＩＭカードに関連する前記第２のサブスクリプションのいずれかが前記ユーザプレーン測位セッションまたは前記制御プレーン測位セッションに使用され、
前記ネットワークによって前記ユーザプレーン測位セッションまたは前記制御プレーン測位セッションが開始されるとき、前記第１のＳＩＭカードに関連する前記第１のサブスクリプションまたは前記第２のＳＩＭカードに関連する前記第２のサブスクリプションのいずれかが前記ユーザプレーン測位セッションまたは前記制御プレーン測位セッションに使用される非一時的コンピュータ可読媒体。
［Ｃ１９］前記ネットワークを通じて前記ユーザプレーン測位セッションまたは前記制御プレーン測位セッションを実行するための前記プログラムコードは、
前記第１のサブスクリプションを使用して前記デュアルＳＩＭモバイル端末との前記ユーザプレーン測位セッションまたは前記制御プレーン測位セッションを開始することを試みるためのプログラムコードと、
前記デュアルＳＩＭモバイル端末との前記ユーザプレーン測位セッションまたは前記制御プレーン測位セッションを開始するために前記第２のサブスクリプションを使用することに切り替えるためのプログラムコードとを備える、Ｃ１８に記載の非一時的コンピュータ可読媒体。
［Ｃ２０］前記第１のサブスクリプションおよび前記第２のサブスクリプションは、異なるサービス相互作用の規則を有し、プログラムコードは、
前記ユーザプレーン測位セッションまたは前記制御プレーン測位セッションが前記第１のサブスクリプションを通じて行われるときに前記第１のサブスクリプションの前記サービス相互作用の規則に従い、前記ユーザプレーン測位セッションまたは前記制御プレーン測位セッションが前記第２のサブスクリプションを通じて行われるときに前記第２のサブスクリプションの前記サービス相互作用の規則に従うためのプログラムコードをさらに備える、Ｃ１８に記載の非一時的コンピュータ可読媒体。
［Ｃ２１］デュアル加入者識別モジュール（ＳＩＭ）モバイル端末において緊急測位セッションをサポートする方法であって、
前記デュアルＳＩＭモバイル端末を緊急呼のためにネットワークに接続することと、ここにおいて、前記ネットワークは、前記デュアルＳＩＭモバイル端末内の第１のＳＩＭカードによってアクセスされる第１のサブスクリプションに関連する第１のネットワークと前記デュアルＳＩＭモバイル端末内の第２のＳＩＭカードによってアクセスされる第２のサブスクリプションに関連する第２のネットワークのうちの一方であり、
前記ネットワークを通じて前記緊急測位セッションを実行することとを備え、
前記緊急測位セッションは、前記緊急呼および前記緊急呼後の緊急コールバック期間の間にのみ許可され、
前記緊急測位セッションは、前記緊急呼が発信されるサブスクリプションに対してのみ許可され、
前記第１のサブスクリプションまたは前記第２のサブスクリプションのいずれに対する非緊急測位セッションも、緊急測位セッションの間または前記緊急呼の間は許可されない方法。
［Ｃ２２］前記第１のサブスクリプションまたは前記第２のサブスクリプションのいずれに対すも非緊急測位セッションも、前記緊急呼後の緊急コールバック期間の間は許可されない、Ｃ２１に記載の方法。
［Ｃ２３］モバイル端末であって、
第１のネットワークに関連する第１のサブスクリプションにアクセスする第１の加入者識別モジュール（ＳＩＭ）カードと、
第２のネットワークに関連する第２のサブスクリプションにアクセスする第２のＳＩＭカードと、
前記第１のネットワークおよび前記第２のネットワークと通信するトランシーバと、
前記トランシーバに接続されたプロセッサとを備え、前記プロセッサは、前記トランシーバを使用して緊急呼のためにネットワークに接続することと、ここにおいて、前記ネットワークは、前記第１のＳＩＭカードによってアクセスされる前記第１のサブスクリプションに関連する前記第１のネットワークと前記第２のＳＩＭカードによってアクセスされる前記第２のサブスクリプションに関連する前記第２のネットワークのうちの一方であり、前記ネットワークを通じて緊急測位セッションを実行することとを行うように構成され、ここにおいて、前記緊急測位セッションは、前記緊急呼および前記緊急呼後の緊急コールバック期間の間にのみ許可され、ここにおいて、前記緊急測位セッションは、前記緊急呼が発信されるサブスクリプションに対してのみ許可され、ここにおいて、前記第１のサブスクリプションまたは前記第２のサブスクリプションのいずれに対する非緊急測位セッションも、緊急測位セッションの間または緊急呼の間は許可されないモバイル端末。
［Ｃ２４］前記第１のサブスクリプションまたは前記第２のサブスクリプションのいずれに対する非緊急測位セッションも、前記緊急呼後の前記緊急コールバック期間の間は許可されない、Ｃ２３に記載のモバイル端末。
［Ｃ２５］デュアル加入者識別モジュール（ＳＩＭ）モバイル端末であって、
前記デュアルＳＩＭモバイル端末を緊急呼のためにネットワークに接続するための手段と、ここにおいて、前記ネットワークは、前記デュアルＳＩＭモバイル端末内の第１のＳＩＭカードによってアクセスされる第１のサブスクリプションに関連する第１のネットワークと前記デュアルＳＩＭモバイル端末内の第２のＳＩＭカードによってアクセスされる第２のサブスクリプションに関連する第２のネットワークのうちの一方であり、
前記ネットワークを通じて緊急測位セッションを実行するための手段とを備え、
前記緊急測位セッションは、前記緊急呼および前記緊急呼後の緊急コールバック期間の間にのみ許可され、
前記緊急測位セッションは、前記緊急呼が発信されるサブスクリプションに対してのみ許可され、
前記第１のサブスクリプションまたは前記第２のサブスクリプションのいずれに対する非緊急測位セッションも、緊急測位セッションの間または前記緊急呼の間は許可されないデュアルＳＩＭモバイル端末。
［Ｃ２６］前記第１のサブスクリプションまたは前記第２のサブスクリプションのいずれに対する非緊急測位セッションも、前記緊急呼後の前記緊急コールバック期間の間は許可されない、Ｃ２５に記載のデュアルＳＩＭモバイル端末。
［Ｃ２７］記憶されたプログラムコードを含む非一時的コンピュータ可読媒体であって、
デュアルＳＩＭモバイル端末を緊急呼のためにネットワークに接続するためのプログラムコードと、ここにおいて、前記ネットワークは、前記デュアルＳＩＭモバイル端末内の第１のＳＩＭカードによってアクセスされる第１のサブスクリプションに関連する第１のネットワークと前記デュアルＳＩＭモバイル端末内の第２のＳＩＭカードによってアクセスされる第２のサブスクリプションに関連する第２のネットワークのうちの一方であり、
前記ネットワークを通じて緊急測位セッションを実行するためのプログラムコードとを備え、
前記緊急測位セッションは、前記緊急呼および前記緊急呼後の緊急コールバック期間の間にのみ許可され、
前記緊急測位セッションは、前記緊急呼が発信されるサブスクリプションに対してのみ許可され、
前記第１のサブスクリプションまたは前記第２のサブスクリプションのいずれに対する非緊急測位セッションも、緊急測位セッションの間または前記緊急呼の間は許可されない非一時的コンピュータ可読媒体。
［Ｃ２８］前記第１のサブスクリプションまたは前記第２のサブスクリプションのいずれに対する非緊急測位セッションも、前記緊急呼後の前記緊急コールバック期間の間は許可されない、Ｃ２７に記載の非一時的コンピュータ可読媒体。
【外国語明細書】
2016140079000001.pdf